(57)【要約】【課題】蓄電池のおかれる設置箇所が優れているのは勿論、蓄電池を容易に設置することができる建物を提供する。【解決手段】４つの１階用の建物ユニット１１，１１，１１，１１と、３つの２階用の建物ユニット２１，２１，２１と、２階用のバルコニーユニット２２と、４つの屋根ユニット３１，３１，３２，３２とを組み付けて成る屋根付きバルコニー２を備えた建物としてのユニット建物１であって、バルコニーユニット２２の床面２２ａと壁面２２ｂとが交わるコーナー部には、蓄電池４が工場で予め設置された構成とされている。【選択図】図１
2013044187.tif 000002
【特許請求の範囲】
【請求項１】
屋根付きバルコニーを備えた建物であって、
前記バルコニーの床面又は壁面には、蓄電池が設置されていることを特徴とする建物。
【請求項２】
前記建物は、前記屋根付きバルコニーがバルコニーユニットで構成されたユニット建物であり、
前記バルコニーユニットの床面又は壁面には、蓄電池が予め設置されていることを特徴とする請求項１に記載の建物。
【請求項３】
前記屋根は、屋根ユニットで構成されていることを特徴とする請求項２に記載の建物。
【請求項４】
前記バルコニーユニットの床面又は壁面は、裏当補強材で補強されていることを特徴とする請求項２又は３に記載の建物。
【請求項５】
前記屋根には、太陽光発電装置が設けられており、当該太陽光発電装置と前記蓄電池とは配線で接続されており、前記太陽光発電装置で発電された電力が前記蓄電池で蓄電可能とされていることを特徴とする請求項１乃至４のいずれか１項に記載の建物。
【請求項６】
前記バルコニーの床面又は壁面には、パワーコンディショナーが設置されていることを特徴とする請求項１乃至５のいずれか１項に記載の建物。
【請求項７】
前記バルコニーの床面又は壁面には、ヒートポンプ式給湯機が設置されていることを特徴とする請求項１乃至６のいずれか１項に記載の建物。
【請求項８】
前記バルコニーの床面又は壁面には、前記ヒートポンプ式給湯機の熱源であるヒートポンプが設置されていることを特徴とする請求項７に記載の建物。
【発明の詳細な説明】
【技術分野】
【０００１】
本発明は、蓄電池を備えた建物に関するものである。
【背景技術】
【０００２】
近年、国家・自治体レベルや企業レベルにとどまらず、家庭レベルにおいても省エネルギーの意識が高まりつつある。
【０００３】
また、地震などによる被災後の非常時に、なるべく快適な生活を送れるようにしようとする非常時に対応するための意識も高まりつつある。
【０００４】
こうしたことから、省エネルギー用又は非常時用の蓄電池を建物に備えることがなされるようになってきた。
【０００５】
ここで、建物内における蓄電池の設置場所が重要となる。
【０００６】
例えば、特許文献１に開示された従来技術では、蓄電池を建物におけるベランダの天井あるいは屋根の軒下に設置している。
【先行技術文献】
【特許文献】
【０００７】
【特許文献１】特開２０００−５８０２１号公報
【発明の概要】
【発明が解決しようとする課題】
【０００８】
確かに、特許文献１に開示された従来技術では、雨風が凌げるうえに、直射日光を避けることができるため、蓄電池のおかれる設置箇所としては優れているといえる。
【０００９】
しかしながら、特に現在用いられている蓄電池はかなりの重量があるため、こうした重い蓄電池を、通常の建物のこのような箇所に設置するには、建物自体に特殊な補強を行う必要があり、蓄電池を容易に設置できるとは言い難い。
【００１０】
そこで、本発明は、蓄電池のおかれる設置箇所が優れているのは勿論、蓄電池を容易に設置することができる建物を提供することを目的としている。
【課題を解決するための手段】
【００１１】
前記目的を達成するために、本発明の建物は、屋根付きバルコニーを備えた建物であって、前記バルコニーの床面又は壁面には、蓄電池が設置されていることを特徴とする。
【００１２】
ここで、前記建物は、前記屋根付きバルコニーがバルコニーユニットで構成されたユニット建物であり、前記バルコニーユニットの床面又は壁面には、蓄電池が予め設置されているとよい。
【００１３】
また、前記屋根は、屋根ユニットで構成されているとよい。
【００１４】
さらに、前記バルコニーユニットの床面又は壁面は、裏当補強材で補強されているとよい。
【００１５】
また、前記屋根には、太陽光発電装置が設けられており、当該太陽光発電装置と前記蓄電池とは配線で接続されており、前記太陽光発電装置で発電された電力が前記蓄電池で蓄電可能とされているとよい。
【００１６】
さらに、前記バルコニーの床面又は壁面には、パワーコンディショナーが設置されているとよい。
【００１７】
また、前記バルコニーの床面又は壁面には、ヒートポンプ式給湯機が設置されているとよい。
【００１８】
さらに、前記バルコニーの床面又は壁面には、前記ヒートポンプ式給湯機の熱源であるヒートポンプが設置されているとよい。
【発明の効果】
【００１９】
このような本発明の建物は、屋根付きバルコニーを備えた建物であって、バルコニーの床面又は壁面には、蓄電池が設置された構成とされている。
【００２０】
こうした構成なので、蓄電池がバルコニーの床面又は壁面に設置されているため、蓄電池のおかれる設置箇所は、屋根や手摺によって、雨風が凌げるうえに、直射日光を避けることができる優れた設置箇所となる。
【００２１】
そのうえ、強度面でも、バルコニーの床面や壁面は天井面などに比べるともともと高強度であることから、後施工の補強などの特殊な補強も必要ないため、蓄電池を容易に設置することができる。
【００２２】
ここで、建物は、屋根付きバルコニーがバルコニーユニットで構成されたユニット建物であり、バルコニーユニットの床面又は壁面には、蓄電池が予め設置されている場合は、蓄電池が工場などでバルコニーユニットの床面又は壁面に予め設置されているため、蓄電池をより容易に設置することができる。
【００２３】
また、屋根は、屋根ユニットで構成されている場合は、屋根が既に屋根ユニットで構成されているため、建築現場で屋根を組む必要がなく、建物としてのユニット建物をより施工性良く構築することができる。
【００２４】
さらに、バルコニーユニットの床面又は壁面は、裏当補強材で補強されている場合は、裏当補強材により、バルコニーユニットの床面又は壁面を、蓄電池などの重量に十分耐え得る構造強度に容易にすることができるので、長期の供用に耐え得る。
【００２５】
また、屋根には、太陽光発電装置が設けられており、太陽光発電装置と蓄電池とは配線で接続されており、太陽光発電装置で発電された電力が蓄電池で蓄電可能とされている場合は、例えば、天気の良い日などにおいて、太陽光発電装置で発電される電力に余剰分が生じる場合には、蓄電池に蓄電しておくことができる。
【００２６】
さらに、バルコニーの床面又は壁面には、パワーコンディショナーが設置されている場合は、パワーコンディショナーによって、外部系統電力又は太陽光発電装置で発電した電力を必要に応じてＡＤ変換又はＤＡ変換することができる。
【００２７】
また、バルコニーの床面又は壁面には、ヒートポンプ式給湯機が設置されている場合は、蓄電池と同様、ヒートポンプ式給湯機のおかれる設置箇所は、屋根や手摺によって、雨風が凌げるうえに、直射日光を避けることができる優れた設置箇所となるし、後施工の補強などの特殊な補強も必要ないため、ヒートポンプ式給湯機を容易に設置することができる。
【００２８】
さらに、バルコニーの床面又は壁面には、ヒートポンプ式給湯機の熱源であるヒートポンプが設置されている場合は、ヒートポンプ式給湯機とヒートポンプとが近くに設置されるので、配管構造などを簡易にして安価に実施することができる。
【図面の簡単な説明】
【００２９】
【図１】実施例の建物としてのユニット建物の概略構成を示す斜視図である。
【図２】実施例のバルコニーユニットの概略構成を示す斜視図である。
【図３】実施例の屋根ユニットの概略構成を示す斜視図である。
【発明を実施するための形態】
【００３０】
以下、本発明を実施するための形態を、図面に示す実施例に基づいて説明する。
【実施例】
【００３１】
先ず、実施例の構成について説明する。
【００３２】
図１は、実施例の建物としてのユニット建物１の概略構成を示している。
【００３３】
まず、このユニット建物１は、４つの１階用の建物ユニット１１，１１，１１，１１と、３つの２階用の建物ユニット２１，２１，２１と、２階用のバルコニーユニット２２と、屋根を構成する４つの屋根ユニット３１，３１，３２，３２とを組み付けて構築されている。
【００３４】
ここで、バルコニー２を構成するバルコニーユニット２２は、図２に示したように、手摺２２ｃを備えている。
【００３５】
そして、その床面２２ａと壁面２２ｂとが交わるコーナー部に、図示省略の取付治具によって蓄電池４が工場で予め設置されている。
【００３６】
また、バルコニーユニット２２の床面２２ａと壁面２２ｂとが交わるコーナー部には、図示省略の取付治具によってヒートポンプ式給湯機５及びその熱源であるヒートポンプ６も工場で予め設置されている。
【００３７】
さらに、壁面２２ｂには、図示省略の取付治具によってパワーコンディショナー７も工場で予め設置されている。
【００３８】
また、蓄電池４、ヒートポンプ式給湯機５、ヒートポンプ６、及びパワーコンディショナー７が設置される、床面２２ａを形成する床部及び壁面２２ｂを形成する壁部の裏面は、図示省略の裏当補強材で補強されており、これらの重量に耐え得る十分な構造強度となっている。
【００３９】
さらに、この裏当補強材により、図示省略の取付治具から固定用ビスなどの固定部材を固定するための厚さも確保されている。
【００４０】
また、日当りの良い側の屋根ユニット３１，３１には、図３に示したように、太陽光発電装置としての太陽光発電パネル８がそれぞれ設けられている。
【００４１】
そして、屋根ユニット３１，３１に設けられた太陽光発電パネル８，８と、蓄電池４とは図示省略の配線で接続されており、太陽光発電パネル８，８で発電された電力が蓄電池４で蓄電可能とされている。
【００４２】
また、太陽光発電パネル８，８は、パワーコンディショナー７とも図示省略の配線で接続されている。
【００４３】
ここで、パワーコンディショナー７は、外部系統電力とも接続されている。
【００４４】
さらに、蓄電池４は、パワーコンディショナー７と図示省略の配線で接続されているとともに、ヒートポンプ式給湯機５はパワーコンディショナー７と図示省略の配線で接続されている。
【００４５】
これにより、蓄電池４は、日中は太陽光発電パネル８，８で発電した電力を利用して蓄電を行えるし、夜間には、比較的安価な深夜電力を利用して蓄電を行える。
【００４６】
次に、より分かり易いように、具体的な例をあげる。
【００４７】
まず、天気の良い日の日中には、太陽光発電パネル８，８で発電した電力をパワーコンディショナー７でＤＡ変換し、ヒートポンプ式給湯機５で消費し、余剰電力は深夜電力を利用した蓄電がより安価になるように蓄電池４に蓄電しておく。
【００４８】
次に、天気の悪い日の日中には、太陽光発電パネル８，８で発電した電力をパワーコンディショナー７でＤＡ変換し、ヒートポンプ式給湯機５で消費し、不足電力は外部系統電力をＡＤ変換して蓄電しておいた蓄電池４から賄う。
【００４９】
次に、実施例の作用効果について説明する。
【００５０】
このような実施例の建物としてのユニット建物１は、バルコニーユニット２２の上部に屋根ユニット３１を組み付けて成る屋根付きバルコニー２を備えたユニット建物である。
【００５１】
そして、バルコニーユニット２２の床面２２ａと壁面２２ｂとが交わるコーナー部には、蓄電池４が工場で予め設置された構成とされている。
【００５２】
こうした構成なので、蓄電池４が工場でバルコニーユニット２２の床面２２ａと壁面２２ｂとが交わるコーナー部に予め設置されているため、蓄電池４のおかれる設置箇所は、屋根ユニット３１や手摺２２ｃによって、雨風が凌げるうえに、直射日光を避けることができる優れた設置箇所となる。
【００５３】
そのうえ、後施工の補強などの特殊な補強も必要ないため、蓄電池４を容易に設置することができる。
【００５４】
ここで、屋根を構成する屋根ユニット３１，３１には、太陽光発電装置としての太陽光発電パネル８，８が設けられており、太陽光発電パネル８，８と蓄電池４とは配線で接続されており、太陽光発電パネル８，８で発電された電力が蓄電池４で蓄電可能とされている。
【００５５】
このため、例えば、天気の良い日などにおいて、太陽光発電パネル８，８で発電される電力に余剰分が生じる場合には、蓄電池４に蓄電しておくことができる。
【００５６】
また、バルコニーユニット２２の壁面２２ｂには、パワーコンディショナー７が設置されている。
【００５７】
このため、パワーコンディショナー７によって、外部系統電力又は太陽光発電パネル８，８で発電した電力を必要に応じてＡＤ変換又はＤＡ変換することができる。
【００５８】
さらに、バルコニーユニット２２の床面２２ａと壁面２２ｂとが交わるコーナー部には、ヒートポンプ式給湯機５も工場で予め設置されている。
【００５９】
このため、蓄電池４と同様、ヒートポンプ式給湯機５が工場でバルコニーユニット２２の床面２２ａと壁面２２ｂとが交わるコーナー部に予め設置されているので、ヒートポンプ式給湯機５のおかれる設置箇所は、屋根ユニット３１や手摺２２ｃによって、雨風が凌げるうえに、直射日光を避けることができる優れた設置箇所となるし、後施工の補強などの特殊な補強も必要ないので、ヒートポンプ式給湯機５を容易に設置することができる。
【００６０】
また、バルコニーユニット２２の床面２２ａと壁面２２ｂとが交わるコーナー部には、ヒートポンプ式給湯機５の熱源であるヒートポンプ６も設置されている。
【００６１】
このため、ヒートポンプ式給湯機５とヒートポンプ６とが近くに設置されるので、配管構造などを簡易にして安価に実施することができる。
【００６２】
さらに、バルコニーユニット２２の床面２２ａと壁面２２ｂとは、図示省略の裏当補強材で補強されている。
【００６３】
このため、この裏当補強材により、バルコニーユニット２２の床面２２ａと壁面２２ｂとを、蓄電池４、パワーコンディショナー７、ヒートポンプ式給湯機５、及びヒートポンプ６の重量に十分耐え得る構造強度に容易にすることができるので、長期の供用に耐え得る。
【００６４】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６５】
例えば、上記した実施例では、蓄電池４を一箇所のみに設置したが、これに限定されず、複数の箇所に設置して実施してもよい。
【００６６】
また、上記した実施例では、蓄電池４の設置箇所を床面２２ａと壁面２２ｂとが交わるコーナー部として実施したが、これらに限定されず、例えば、蓄電池４を床面２２ａ又は壁面２２ｂのいずれか一方のみに設置して実施してもよい。
【００６７】
さらに、上記した実施例では、太陽光発電装置として、太陽光発電パネル８，８を用いて実施したが、これに限定されず、他の種類の太陽光発電装置を用いて実施してもよいし、太陽光発電装置自体を用いずに実施してもよい。
【００６８】
また、上記した実施例では、屋根を構成する屋根ユニット３１，３２を用いて実施したが、これに限定されず、建築現場で屋根を組んで実施してもよい。
【００６９】
さらに、上記した実施例では、建物として、ユニット建物１を適用して実施したが、これに限定されず、例えば、通常の軸組建物などで実施してもよい。
【符号の説明】
【００７０】
１      ユニット建物（建物）
１１    １階用の建物ユニット
２１    ２階用の建物ユニット
２      バルコニー
２２    バルコニーユニット
２２ａ  バルコニーユニットの床面
２２ｂ  バルコニーユニットの壁面
２２ｃ  バルコニーユニットの手摺
３１    屋根ユニット
３２    屋根ユニット
４      蓄電池
５      ヒートポンプ式給湯機
６      ヒートポンプ
７      パワーコンディショナー
８      太陽光発電パネル（太陽光発電装置）
【図１】
2013044187.tif 000003
【図２】
2013044187.tif 000004
【図３】
2013044187.tif 000005